(57)【要約】【課題】ユーザが引越しなどで住所を変更したときにユーザに代わって自動的に住所変更の処理を行う住所管理システムを構築する。【解決手段】利用者通信端末２０で、ユーザＭの住所に対応したユーザ位置情報ｐｄが取得されて送出されると共に、同ユーザ位置情報ｐｄが定期的に取得されてユーザ位置情報ｐｄの変更が検出されたときに、変更後のユーザ位置情報ｐｄが送出される。ユーザ位置情報ｐｄには、ユーザＩＤが対応付けられている。住所管理サーバ１０では、利用者通信端末２０で取得されたユーザ位置情報ｐｄが受信されて管理されると共に、ユーザ位置情報ｐｄに変更があったときに、ユーザ位置情報ｐｄが更新される。発送元端末３０により、住所管理サーバ１０へユーザ位置情報取得要求（住所ＩＤ）が送信され、同住所管理サーバ１０からユーザＭのユーザＩＤに対応したユーザ位置情報ｐｄが取得される。【選択図】図１
2008217175.tif 000002
【特許請求の範囲】
【請求項１】
各ユーザに個別に割り当てられ、当該ユーザの住所に対応したユーザ位置情報を取得して通信回線へ送出すると共に、前記ユーザ位置情報を定期的に取得して当該ユーザ位置情報の変更を検出したときに、変更後の前記ユーザ位置情報を前記通信回線へ送出する１つ又は複数の第１の通信端末と、
前記各第１の通信端末で取得された前記ユーザ位置情報を前記通信回線を介して受信して管理すると共に、前記ユーザ位置情報に変更があったときに、管理している当該ユーザ位置情報を更新する住所管理サーバと、
該住所管理サーバへユーザ位置情報取得要求を送信し、当該ユーザの前記ユーザ位置情報を取得する１つ又は複数の第２の通信端末とから構成されていることを特徴とする住所管理システム。
【請求項２】
前記ユーザ位置情報は、
当該ユーザのユーザＩＤが対応付けられ、
前記第２の通信端末は、
前記ユーザＩＤに対応した前記ユーザ位置情報を前記住所管理サーバから取得する構成とされていることを特徴とする請求項１記載の住所管理システム。
【請求項３】
前記各第１の通信端末は、
前記ユーザ位置情報を取得する位置情報取得部と、
該位置情報取得部で取得された前記ユーザ位置情報を前記通信回線へ送出する送信部とから構成されていることを特徴とする請求項１又は２記載の住所管理システム。
【請求項４】
前記住所管理サーバは、
前記ユーザ位置情報を当該ユーザのユーザＩＤと対応付けて記録するためのデータベースと、
前記各第１の通信端末から当該ユーザの前記ユーザ位置情報を受信して前記データベースに記録すると共に、新たに当該ユーザの前記ユーザ位置情報を受信したときに該ユーザ位置情報に更新する位置情報登録更新手段と、
前記第２の通信端末から前記ユーザ位置情報取得要求を受信したとき、当該ユーザのユーザＩＤに基づいて前記データベースを検索し、該ユーザＩＤに対応する前記ユーザ位置情報を当該第２の通信端末へ送信して提供する位置情報検索提供手段とを備えてなることを特徴とする請求項２又は３記載の住所管理システム。
【請求項５】
前記位置情報検索提供手段に対して、前記ユーザ位置情報を当該第２の通信端末へ提供するか否かを当該ユーザの指示に基づいて制御する提供制御手段が設けられていることを特徴とする請求項４記載の住所管理システム。
【請求項６】
各ユーザに個別に割り当てられ、当該ユーザの住所に対応したユーザ位置情報を定期的に取得して通信回線へ送出する１つ又は複数の第１の通信端末と、
前記各第１の通信端末で取得される前記ユーザ位置情報を前記通信回線を介して定期的に受信して管理すると共に、前記ユーザ位置情報に変更があったときに、管理している当該ユーザ位置情報を更新する住所管理サーバと、
該住所管理サーバへユーザ位置情報取得要求を送信し、当該ユーザの前記ユーザ位置情報を取得する１つ又は複数の第２の通信端末とから構成されていることを特徴とする住所管理システム。
【請求項７】
１つ又は複数の第１の通信端末と、住所管理サーバと、１つ又は複数の第２の通信端末とから構成されている住所管理システムに用いられる住所管理方法であって、
前記各第１の通信端末を各ユーザに個別に割り当てておき、
前記各第１の通信端末が、当該ユーザの住所に対応したユーザ位置情報を取得して通信回線へ送出すると共に、前記ユーザ位置情報を定期的に取得して当該ユーザ位置情報の変更を検出したときに、変更後の前記ユーザ位置情報を前記通信回線へ送出する位置情報送出処理と、
前記住所管理サーバが、前記各第１の通信端末で取得された前記ユーザ位置情報を前記通信回線を介して受信して管理すると共に、前記ユーザ位置情報に変更があったときに、管理している当該ユーザ位置情報を更新する位置情報更新処理と、
前記各第２の通信端末が、前記住所管理サーバへユーザ位置情報取得要求を送信し、当該ユーザの前記ユーザ位置情報を取得する位置情報取得処理とを行うことを特徴とする住所管理方法。
【請求項８】
前記ユーザ位置情報は、当該ユーザのユーザＩＤが対応付けられ、
前記位置情報取得処理では、
前記第２の通信端末が、前記ユーザＩＤに対応した前記ユーザ位置情報を前記住所管理サーバから取得することを特徴とする請求項７記載の住所管理方法。
【請求項９】
１つ又は複数の第１の通信端末と、住所管理サーバと、１つ又は複数の第２の通信端末とから構成されている住所管理システムに用いられる住所管理方法であって、
前記各第１の通信端末を各ユーザに個別に割り当てておき、
前記各第１の通信端末が、当該ユーザの住所に対応したユーザ位置情報を定期的に取得して通信回線へ送出する位置情報送出処理と、
前記住所管理サーバが、前記各第１の通信端末で取得される前記ユーザ位置情報を前記通信回線を介して定期的に受信して管理すると共に、前記ユーザ位置情報に変更があったときに、管理している当該ユーザ位置情報を更新する位置情報更新処理と、
前記各第２の通信端末が、前記住所管理サーバへユーザ位置情報取得要求を送信し、当該ユーザの前記ユーザ位置情報を取得する位置情報取得処理とを行うことを特徴とする住所管理方法。
【請求項１０】
コンピュータに請求項１乃至６のいずれか一に記載の住所管理サーバを制御させるための住所管理制御プログラム。
【発明の詳細な説明】
【技術分野】
【０００１】
この発明は、住所管理システム、該住所管理システムに用いられる住所管理方法及び住所管理制御プログラムに係り、特に、諸々の機関に住所を登録している利用者（以下、ユーザともいう）が引越しなどで住所を変更したときに用いて好適な住所管理システム、該住所管理システムに用いられる住所管理方法及び住所管理制御プログラムに関する。
【背景技術】
【０００２】
現代社会では、諸々の機関に住所を登録しているユーザが引越しなどで住所を変更したとき、住所変更の届出を各機関に対して行う必要がある。この場合、届出方法が各機関でまちまちであり、しかも、ユーザが実際に住所変更の届出を行う状態になったとき、各機関の連絡先が当初の連絡先と異なっていることがあるため、ユーザは各機関の連絡先を常に把握しておく必要があるが、これを実行することは困難である。よって、住所変更の届出もれが少なからず発生し、受取人不在の郵便物などが発生し、差出人に戻されることがある。このため、住所変更の届出をユーザに代行して行う技術が提案されている。
【０００３】
従来、この種の技術としては、たとえば、特許文献１に記載されたものがある。
特許文献１に記載された住所管理システムでは、宛名人が住所登録部に自分の住所を登録すると、同住所登録部から同宛名人に固有の住所コードが付与され、宛名人が住所変更の旨を住所変更部に伝えることにより、同住所変更部により住所登録部に登録されている住所が変更される。差出人が宛名人の住所コードを用いて住所提供部に同宛名人の住所を照会したとき、同住所提供部から同宛名人の住所が提供される。データベースでは、宛名人の住所、住所コードなどの情報が格納されている。
【０００４】
また、特許文献２に記載されたロケーション証明システムでは、ロケーション認証サーバにより、携帯端末から送信された生体データと登録者情報データベースに登録された生体データとを用いて本人認証が行われ、ＧＰＳ（Global Positioning System ）を内蔵した携帯端末の位置通知機能を利用して位置が特定され、住所情報データベースで特定された位置情報から住所情報が取得され、さらに、地図情報データベースから対応する地図情報が取得され、タイムスタンプサーバから日時情報が取得され、これらのデータで携帯端末のユーザの位置及び日時を証明するロケーション証明書が生成される。
【０００５】
また、特許文献３に記載されたクーポン配信装置では、携帯端末により、ＧＰＳ部で取得された自機の位置情報が送受信部からサーバに送信され、サーバでインターネットを介して同携帯端末の位置情報が取得されることにより、同位置情報に基づいて同携帯端末にクーポンが配信される。
【０００６】
また、特許文献４に記載された住所通知サービスシステムでは、住所通知サーバにより、利用者から通知された住所情報が記録されると共に、同利用者の住所が変更になった時点で、あらかじめ決められた通知先へ住所変更通知が行われる。
【特許文献１】特開２００２−０１４９７９号公報（要約書、図１）
【特許文献２】特開２００４−２５２９６４号公報（要約書、図１）
【特許文献３】特開２００５−２１５８４９号公報（要約書、図１）
【特許文献４】特開２００２−０２４３６８号公報（要約書、図１）
【発明の開示】
【発明が解決しようとする課題】
【０００７】
しかしながら、上記従来の技術では、次のような問題点があった。
すなわち、特許文献１に記載された住所管理システムでは、住所コードに対応する住所を変更する場合、ユーザが同システムに対して要求を送出する必要があり、同システムが複数ある場合には、住所変更のもれが発生することがあるという問題点がある。
【０００８】
また、特許文献２に記載されたロケーション証明システムでは、ＧＰＳを内蔵した携帯端末の位置通知機能を利用して位置が特定され、この機能が、この発明の位置情報や住所を取得する手段として利用できるが、この発明では、ＧＰＳに限定していないので、構成が異なる。
【０００９】
特許文献３に記載されたクーポン配信装置では、携帯端末が、この発明の位置情報を送信する手段として利用できるが、この発明では、携帯電話機のようなユーザが携行する端末ではなく、自宅に保管する端末とする必要があるため、構成が異なる。
【００１０】
特許文献４に記載された住所通知サービスシステムでは、利用者が住所通知サーバに対してのみ住所変更の通知を行うだけで、あらかじめ決められた通知先へ住所変更通知が行われるので、住所変更の作業が少なくなるが、利用者が自分の端末を操作する必要があるため、住所変更のもれの原因となることがあるという問題点がある。
【００１１】
この発明は、上述の事情に鑑みてなされたもので、ユーザが引越しなどで住所を変更したときでも、同ユーザが操作することなく、自動的に住所変更の手続きを行い、宛先不明となる郵便物などをなくして変更後の住所への配送が可能となる住所管理システム、該住所管理システムに用いられる住所管理方法及び住所管理制御プログラムを提供することを目的としている。
【課題を解決するための手段】
【００１２】
上記課題を解決するために、請求項１記載の発明は、住所管理システムに係り、各ユーザに個別に割り当てられ、当該ユーザの住所に対応したユーザ位置情報を取得して通信回線へ送出すると共に、前記ユーザ位置情報を定期的に取得して当該ユーザ位置情報の変更を検出したときに、変更後の前記ユーザ位置情報を前記通信回線へ送出する１つ又は複数の第１の通信端末と、前記各第１の通信端末で取得された前記ユーザ位置情報を前記通信回線を介して受信して管理すると共に、前記ユーザ位置情報に変更があったときに、管理している当該ユーザ位置情報を更新する住所管理サーバと、該住所管理サーバへユーザ位置情報取得要求を送信し、当該ユーザの前記ユーザ位置情報を取得する１つ又は複数の第２の通信端末とから構成されていることを特徴としている。
【００１３】
請求項２記載の発明は、請求項１記載の住所管理システムに係り、前記ユーザ位置情報は、当該ユーザのユーザＩＤが対応付けられ、前記第２の通信端末は、前記ユーザＩＤに対応した前記ユーザ位置情報を前記住所管理サーバから取得する構成とされていることを特徴としている。
【００１４】
請求項３記載の発明は、請求項１又は２記載の住所管理システムに係り、前記各第１の通信端末は、前記ユーザ位置情報を取得する位置情報取得部と、該位置情報取得部で取得された前記ユーザ位置情報を前記通信回線へ送出する送信部とから構成されていることを特徴としている。
【００１５】
請求項４記載の発明は、請求項２又は３記載の住所管理システムに係り、前記住所管理サーバは、前記ユーザ位置情報を当該ユーザのユーザＩＤと対応付けて記録するためのデータベースと、前記各第１の通信端末から当該ユーザの前記ユーザ位置情報を受信して前記データベースに記録すると共に、新たに当該ユーザの前記ユーザ位置情報を受信したときに該ユーザ位置情報に更新する位置情報登録更新手段と、前記第２の通信端末から前記ユーザ位置情報取得要求を受信したとき、当該ユーザのユーザＩＤに基づいて前記データベースを検索し、該ユーザＩＤに対応する前記ユーザ位置情報を当該第２の通信端末へ送信して提供する位置情報検索提供手段とを備えてなることを特徴としている。
【００１６】
請求項５記載の発明は、請求項４記載の住所管理システムに係り、前記位置情報検索提供手段に対して、前記ユーザ位置情報を当該第２の通信端末へ提供するか否かを当該ユーザの指示に基づいて制御する提供制御手段が設けられていることを特徴としている。
【００１７】
請求項６記載の発明は、住所管理システムに係り、各ユーザに個別に割り当てられ、当該ユーザの住所に対応したユーザ位置情報を定期的に取得して通信回線へ送出する１つ又は複数の第１の通信端末と、前記各第１の通信端末で取得される前記ユーザ位置情報を前記通信回線を介して定期的に受信して管理すると共に、前記ユーザ位置情報に変更があったときに、管理している当該ユーザ位置情報を更新する住所管理サーバと、該住所管理サーバへユーザ位置情報取得要求を送信し、当該ユーザの前記ユーザ位置情報を取得する１つ又は複数の第２の通信端末とから構成されていることを特徴としている。
【００１８】
請求項７記載の発明は、１つ又は複数の第１の通信端末と、住所管理サーバと、１つ又は複数の第２の通信端末とから構成されている住所管理システムに用いられる住所管理方法に係り、前記各第１の通信端末を各ユーザに個別に割り当てておき、前記各第１の通信端末が、当該ユーザの住所に対応したユーザ位置情報を取得して通信回線へ送出すると共に、前記ユーザ位置情報を定期的に取得して当該ユーザ位置情報の変更を検出したときに、変更後の前記ユーザ位置情報を前記通信回線へ送出する位置情報送出処理と、前記住所管理サーバが、前記各第１の通信端末で取得された前記ユーザ位置情報を前記通信回線を介して受信して管理すると共に、前記ユーザ位置情報に変更があったときに、管理している当該ユーザ位置情報を更新する位置情報更新処理と、前記各第２の通信端末が、前記住所管理サーバへユーザ位置情報取得要求を送信し、当該ユーザの前記ユーザ位置情報を取得する位置情報取得処理とを行うことを特徴としている。
【００１９】
請求項８記載の発明は、請求項７記載の住所管理方法に係り、前記ユーザ位置情報は、当該ユーザのユーザＩＤが対応付けられ、前記位置情報取得処理では、前記第２の通信端末が、前記ユーザＩＤに対応した前記ユーザ位置情報を前記住所管理サーバから取得することを特徴としている。
【００２０】
請求項９記載の発明は、１つ又は複数の第１の通信端末と、住所管理サーバと、１つ又は複数の第２の通信端末とから構成されている住所管理システムに用いられる住所管理方法に係り、前記各第１の通信端末を各ユーザに個別に割り当てておき、前記各第１の通信端末が、当該ユーザの住所に対応したユーザ位置情報を定期的に取得して通信回線へ送出する位置情報送出処理と、前記住所管理サーバが、前記各第１の通信端末で取得される前記ユーザ位置情報を前記通信回線を介して定期的に受信して管理すると共に、前記ユーザ位置情報に変更があったときに、管理している当該ユーザ位置情報を更新する位置情報更新処理と、前記各第２の通信端末が、前記住所管理サーバへユーザ位置情報取得要求を送信し、当該ユーザの前記ユーザ位置情報を取得する位置情報取得処理とを行うことを特徴としている。
【００２１】
請求項１０記載の発明は、住所管理制御プログラムに係り、コンピュータに請求項１乃至６のいずれか一に記載の住所管理サーバを制御させることを特徴としている。
【発明の効果】
【００２２】
この発明の構成によれば、各第１の通信端末で、当該ユーザの住所に対応したユーザ位置情報が取得されて通信回線へ送出されると共に、同ユーザ位置情報が定期的に取得されて当該ユーザ位置情報の変更が検出されたときに、変更後のユーザ位置情報が通信回線へ送出され、住所管理サーバで、ユーザ位置情報が通信回線を介して受信されて管理されると共に、ユーザ位置情報に変更があったときに、管理している当該ユーザ位置情報が更新され、第２の通信端末により、住所管理サーバへユーザ位置情報取得要求が送信され、同住所管理サーバから当該ユーザのユーザ位置情報が取得されるので、ユーザが手動で住所変更を届け出る作業を不要にでき、住所変更の申請もれを防止できる。また、第２の通信端末は、ユーザ位置情報を取得することができるため、たとえば所番地のみが分かっているだけで届け先が判別し難い地域であっても、同ユーザ位置情報から届け先を特定することができる。また、ユーザの指示に基づいて、提供制御手段により位置情報検索提供手段に対してユーザ位置情報を第２の通信端末へ提供するか否かが制御されるので、同ユーザは、第２の通信端末からユーザ位置情報取得要求が送信されたときにのみ、その可否を判断すれば良く、同ユーザが住所変更の通知先を管理する必要がなくなり、より利便性を向上することができる。
【発明を実施するための最良の形態】
【００２３】
利用者通信端末で、ユーザの住所に対応したユーザ位置情報が定期的に取得されて住所管理サーバへ送出されると共に、同ユーザ位置情報の変更が検出されたときに、変更後のユーザ位置情報が同住所管理サーバへ送出され、同住所管理サーバで、同利用者通信端末で取得されたユーザ位置情報が受信されて管理されると共に、同ユーザ位置情報に変更があったときに、管理されているユーザ位置情報が更新され、発送元端末により、住所管理サーバへユーザ位置情報取得要求が送信されたとき、同住所管理サーバから当該ユーザのユーザ位置情報が取得される住所管理システム、同住所管理システムに用いられる住所管理方法及び住所管理制御プログラムを提供する。
【実施例】
【００２４】
図１は、この発明の一実施例である住所管理システムの要部の電気的構成を示すブロック図である。
この例の住所管理システムは、同図に示すように、住所管理サーバ１０と、利用者通信端末２０と、発送元端末３０とから構成されている。利用者通信端末２０は、利用者（ユーザ）Ｍに割り当てられて同利用者Ｍの自宅に保管され、送信部２１と、位置情報取得部２２とを備えている。なお、利用者通信端末２０及び利用者Ｍは、同図では、それぞれ１つで表示されているが、通常、複数存在する。位置情報取得部２２は、利用者Ｍの住所に対応したユーザ位置情報ｐｄを取得すると共に、同ユーザ位置情報ｐｄを定期的に取得して当該ユーザ位置情報ｐｄの変更を検出したときに、変更後のユーザ位置情報ｐｄを送信部２１へ送出する。特に、この実施例では、位置情報取得部２２は、たとえばＧＰＳ（Global Positioning System ）のような位置情報を取得するものでも良いし、また、位置情報を記録した記憶媒体を利用者通信端末２０に接続する構成のものでも良い。送信部２１は、位置情報取得部２２で取得されたユーザ位置情報ｐｄを通信回線ＮＷへ送出する。通信回線ＮＷは、たとえば、インターネットである。ユーザ位置情報ｐｄは、当該ユーザＭのユーザＩＤとして住所ＩＤが対応付けられている。
【００２５】
住所管理サーバ１０は、たとえば、郵便局などに設置されているパーソナルコンピュータなどの情報処理装置であり、同サーバ１０全体を制御するコンピュータとしてのＣＰＵ（中央処理装置）１０ａ及び同ＣＰＵ１０ａを動作させるための住所管理制御プログラムが記録されたＲＯＭ（リード・オンリ・メモリ）１０ｂを有し、利用者通信端末２０で取得されたユーザ位置情報ｐｄを通信回線ＮＷを介して受信して管理すると共に、同ユーザ位置情報ｐｄに変更があったときに、管理しているユーザ位置情報ｐｄを更新する。特に、この実施例では、住所管理サーバ１０は、登録部１１と、住所取得部１２と、データベース１３と、住所提供部１４と、住所検索部１５と、提供制御部１６とを備えている。データベース１３は、ユーザ位置情報ｐｄを、ユーザＭのユーザＩＤ（住所ＩＤ）及び同ユーザ位置情報ｐｄから得られる住所情報と対応付けて記録するためのものである。登録部１１は、利用者通信端末２０からユーザＭのユーザ位置情報ｐｄを受信し、住所取得部１２は、同ユーザ位置情報ｐｄから住所情報を割り出してデータベース１３に記録すると共に、新たに当該ユーザＭのユーザ位置情報ｐｄを受信したときに同ユーザ位置情報ｐｄに対応した住所情報に更新する。
【００２６】
住所提供部１４は、発送元端末３０からユーザ位置情報取得要求（住所ＩＤ）を受信したとき、当該ユーザＭのユーザＩＤ（住所ＩＤ）を住所検索部１５へ送出し、同住所検索部１５は、同ユーザＩＤに基づいてデータベース１３を検索し、同ユーザＩＤに対応するユーザ位置情報ｐｄを住所情報ａｄとして同住所提供部１４を介して同発送元端末３０へ送信する。提供制御部１６は、住所提供部１４に対して、ユーザ位置情報ｐｄを発送元端末３０へ送信して提供するか否かをユーザＭの指示に基づいて制御する。このユーザＭの指示は、利用者Ｍがあらかじめ提供制御部１６に登録しておいても良く、また、ユーザ位置情報取得要求（住所ＩＤ）を受信した時点で、同利用者Ｍへユーザ位置情報ｐｄ（住所）の提供の可否を問い合わせるようにしてもよい。発送元端末３０は、たとえば、郵便物Ｌを発送する業者などに所有され、ユーザＭの住所ＩＤが登録され、発送元Ｓの操作により、住所管理サーバ１０へユーザ位置情報取得要求として当該ユーザＭの住所ＩＤを送信し、同住所管理サーバ１０から当該ユーザＭの住所ＩＤに対応したユーザ位置情報ｐｄを住所情報ａｄとして図示しない通信回線を介して取得する。
【００２７】
図２は、図１中のユーザ位置情報ｐｄのデータ形式の例を示す図である。
このユーザ位置情報ｐｄは、同図２に示すように、ユーザＭのユーザＩＤとしての住所ＩＤ“○○○○”と、位置情報“東京都△△△△”とから構成されている。
【００２８】
図３は、図１の住所管理システムの動作を説明するシーケンス図である。
この図を参照して、この例の住所管理システムに用いられる住所管理方法の処理内容について説明する。
この住所管理システムでは、各利用者通信端末２０が各ユーザＭに個別に割り当てられ、同各利用者通信端末２０で、当該ユーザＭの住所に対応したユーザ位置情報ｐｄが取得されて通信回線ＮＷへ送出されると共に、同ユーザ位置情報ｐｄが定期的に取得されて当該ユーザ位置情報ｐｄの変更が検出されたときに、変更後のユーザ位置情報ｐｄが通信回線ＮＷへ送出される（位置情報送出処理）。このユーザ位置情報ｐｄには、当該ユーザＭのユーザＩＤ（住所ＩＤ）が対応付けられている。住所管理サーバ１０では、各利用者通信端末２０で取得されたユーザ位置情報ｐｄが通信回線ＮＷを介して受信されて管理されると共に、ユーザ位置情報ｐｄに変更があったときに、管理している当該ユーザ位置情報ｐｄが更新される（位置情報更新処理）。そして、各発送元端末３０により、住所管理サーバ１０へユーザ位置情報取得要求（住所ＩＤ）が送信され、同住所管理サーバ１０から当該ユーザＭのユーザＩＤ（住所ＩＤ）に対応したユーザ位置情報ｐｄが取得される（位置情報取得処理）。
【００２９】
すなわち、図３に示すように、利用者Ｍに住所ＩＤが通知され、同利用者Ｍにより利用者通信端末２０が取得され（ステップＡ１）、同利用者通信端末２０からユーザ位置情報ｐｄが住所管理サーバ１０へ送信される（ステップＡ２）。住所管理サーバ１０では、ユーザ位置情報ｐｄが取得され、同ユーザ位置情報ｐｄが、住所ＩＤ及び住所情報と対応して管理される（ステップＡ３）。利用者Ｍは、たとえば、雑誌などの定期購読や請求書の送付先（届け先）を登録する際に、住所ＩＤを登録する（ステップＡ４）。
【００３０】
この状態で、利用者Ｍの引越しにより、利用者通信端末２０が移動する（ステップＡ５）。利用者通信端末２０では、ユーザ位置情報ｐｄが変化したことが検知され、新たなユーザ位置情報ｐｄが住所管理サーバ１０へ送信される（ステップＡ６）。住所管理サーバ１０では、利用者通信端末２０から受信したユーザ位置情報ｐｄが、既に登録されているユーザ位置情報ｐｄと異なるため、新しいユーザ位置情報ｐｄ及び住所に更新される（ステップＡ７）。この後、利用者Ｍが住所ＩＤを登録した発送元Ｓは、発送元端末３０により、同住所ＩＤに対応する現在の住所を住所管理サーバ１０へ問い合わせ、ユーザＭの指示に基づいて、提供制御部１６により住所提供部１４に対してユーザ位置情報ｐｄを発送元端末３０へ提供するように制御されたとき、同住所管理サーバ１０から同利用者Ｍの住所及び位置情報の提供を受け、現在の正しい住所へ郵便物Ｌなどを配送する（ステップＡ８，Ａ９）。
【００３１】
以上のように、この実施例では、各利用者通信端末２０で、当該ユーザＭの住所に対応したユーザ位置情報ｐｄが取得されて通信回線ＮＷへ送出されると共に、同ユーザ位置情報ｐｄが定期的に取得されて当該ユーザ位置情報ｐｄの変更が検出されたときに、変更後のユーザ位置情報ｐｄが通信回線ＮＷへ送出され、住所管理サーバ１０で、ユーザ位置情報ｐｄが通信回線ＮＷを介して受信されて管理されると共に、ユーザ位置情報ｐｄに変更があったときに、管理している当該ユーザ位置情報ｐｄが更新され、発送元端末３０により、住所管理サーバ１０へユーザ位置情報取得要求（住所ＩＤ）が送信され、同住所管理サーバ１０から当該ユーザＭのユーザＩＤ（住所ＩＤ）に対応したユーザ位置情報ｐｄが取得されるので、利用者Ｍが手動で住所変更を届け出る作業が不要となり、住所変更の申請もれが防止される。また、発送元Ｓは、発送元端末３０により、ユーザ位置情報ｐｄを取得することができるため、たとえば所番地のみが分かっているだけで届け先が判別し難い地域であっても、同ユーザ位置情報ｐｄから届け先を特定することができる。また、ユーザＭの指示に基づいて、提供制御部１６により住所提供部１４に対してユーザ位置情報ｐｄを発送元端末３０へ提供するか否かが制御されるので、同ユーザＭは、発送元Ｓがユーザ位置情報ｐｄを取得しようとしたときにのみ、その可否を判断すれば良く、同利用者Ｍが住所変更の通知先を管理する必要がなくなり、より利便性が向上する。
【００３２】
以上、この発明の実施例を図面により詳述してきたが、具体的な構成は同実施例に限られるものではなく、この発明の要旨を逸脱しない範囲の設計の変更などがあっても、この発明に含まれる。
たとえば、利用者通信端末２０や発送元端末３０は、上記実施例に対応した専用の端末としても良いが、たとえば、電話機やパソコンなどの通信機能を備えた機器に内蔵されていても良い。また、利用者通信端末２０で取得されるユーザ位置情報ｐｄは、ユーザＭの自宅の郵便受けの位置にして、配送の際の位置情報として用いてもよい。また、利用者通信端末２０で取得されるユーザ位置情報ｐｄは、住所としてではなく、たとえば、バイク便などの急な配達の届け先として用いても良い。また、上記実施例では、利用者通信端末２０は、ユーザ位置情報ｐｄの変更を検出する構成になっているが、ＧＰＳなどにより同ユーザ位置情報ｐｄを定期的に取得して住所管理サーバ１０へ送信し、同住所管理サーバ１０でユーザ位置情報ｐｄの変更を検出するようにしても良い（請求項６及び請求項９に対応）。この場合も、上記実施例とほぼ同様の作用、効果が得られる。
【産業上の利用可能性】
【００３３】
この発明は、ユーザ位置情報の変更をユーザの意図した範囲で公開し、活用する用途に適用できる。
【図面の簡単な説明】
【００３４】
【図１】この発明の一実施例である住所管理システムの要部の電気的構成を示すブロック図である。
【図２】図１中のユーザ位置情報ｐｄのデータ形式の例を示す図である。
【図３】図１の住所管理システムの動作を説明するシーケンス図である。
【符号の説明】
【００３５】
１０      住所管理サーバ
１０ａ      ＣＰＵ（中央処理装置）
１０ｂ      ＲＯＭ（リード・オンリ・メモリ）
１１      登録部（位置情報登録更新手段の一部）
１２      住所取得部（位置情報登録更新手段の一部）
１３      データベース
１４      住所提供部（位置情報検索提供手段の一部）
１５      住所検索部（位置情報検索提供手段の一部）
１６      提供制御部（提供制御手段）
２０      利用者通信端末（第１の通信端末）
２１      送信部（第１の通信端末の一部）
２２      位置情報取得部（第１の通信端末の一部）
３０      発送元端末（第２の通信端末）
ＮＷ      通信回線
【図１】
2008217175.tif 000003
【図２】
2008217175.tif 000004
【図３】
2008217175.tif 000005